(57)【要約】      （修正有）【課題】低価格且つ低負荷に、ローミングサービスを利用している携帯端末の位置情報を取得することを可能とするサーバ装置等を提供する。【解決手段】サーバ装置１０１は、通信装置から特定の携帯端末電話番号及び特定の携帯端末電話番号に対応する携帯端末の位置情報の取得要求を受信する要求受信部１３１と、第１又は第２事業者のネットワークに配置された第１又は第２データベースから第１又は第２交換局情報を取得する交換局情報取得部１３２と、交換局情報取得部が第１又は第２データベースから特定の携帯端末電話番号に関連付けられた第１又は第２交換局情報を取得するように制御する取得制御部１３３と、交換局情報に示される交換局から、携帯端末の位置情報を取得する位置情報取得部１３４と、通信装置へ位置情報を送信する位置情報送信部１３５とを備える。【選択図】図２
2015012329.tif 000002
【特許請求の範囲】
【請求項１】
複数の交換局、第１事業者のネットワークに配置されて第１事業者の携帯端末が在圏する交換局を示す第１交換局情報を携帯端末電話番号と関連付けて記憶する第１データベース、第１事業者と異なる第２事業者のネットワークに配置されて第２事業者の携帯端末が在圏する交換局を示す第２交換局情報を携帯端末電話番号と関連付けて記憶する第２データベース、並びに、特定の携帯端末電話番号及び前記特定の携帯端末電話番号に対応する携帯端末の位置情報の取得要求を送信する通信装置と通信する通信部と、
前記通信部を介して通信装置から前記特定の携帯端末電話番号及び前記取得要求を受信する要求受信部と、
前記通信部を介して第１又は第２データベースから前記第１又は第２交換局情報を取得する交換局情報取得部と、
前記要求受信部が前記特定の携帯端末電話番号及び前記取得要求を受信すると、前記交換局情報取得部が第１又は第２データベースから前記特定の携帯端末電話番号に関連付けられた前記第１又は第２交換局情報を取得するように制御する取得制御部と、
前記通信部を介して、前記交換局情報取得部が取得した前記第１又は第２交換局情報に示される交換局から、前記特定の携帯端末電話番号に対応する携帯端末の位置情報を取得する位置情報取得部と、
前記通信部を介して通信装置へ前記位置情報取得部が取得した前記位置情報を送信する位置情報送信部と、
を備えることを特徴とするサーバ装置。
【請求項２】
前記サーバ装置は第１事業者により提供されており、
前記取得制御部は、前記要求受信部が前記特定の携帯端末電話番号及び前記取得要求を受信すると、前記交換局情報取得部が第１データベースから前記特定の携帯端末電話番号に関連付けられた前記第１交換局情報を取得するように制御し、前記交換局情報取得部が前記第１交換局情報の取得に失敗した場合、前記交換局情報取得部が第２データベースから前記特定の携帯端末電話番号に関連付けられた前記第２交換局情報を取得するように制御する、請求項１に記載のサーバ装置。
【請求項３】
前記サーバ装置は第１事業者により提供されており、
前記通信部は、第１事業者及び第２事業者と異なる第３事業者のネットワークに配置されて第３事業者の携帯端末が在圏する交換局を示す第３交換局情報を携帯端末電話番号と関連付けて記憶する第３データベースとさらに通信し、
前記取得制御部は、前記要求受信部が前記特定の携帯端末電話番号及び前記取得要求を受信すると、前記交換局情報取得部が第１データベースから前記特定の携帯端末電話番号に関連付けられた前記第１交換局情報を取得するように制御し、前記交換局情報取得部が前記第１交換局情報の取得に失敗した場合、前記交換局情報取得部が第２事業者及び第３事業者のうち加入者数が多い方の事業者に係る第２又は第３データベースから前記特定の携帯端末電話番号に関連付けられた前記第２又は第３交換局情報を取得するように制御し、さらに前記交換局情報取得部が前記第２又は第３交換局情報の取得に失敗した場合、前記交換局情報取得部が第２事業者及び第３事業者のうち加入者数が少ない方の事業者に係る第２又は第３データベースから前記特定の携帯端末電話番号に関連付けられた前記第２又は第３交換局情報を取得するように制御する、請求項１に記載のサーバ装置。
【請求項４】
前記サーバ装置は第１事業者により提供されており、
第２事業者の携帯端末と、第１事業者及び第２事業者と異なる第３事業者の携帯端末とについて、携帯端末電話番号を加入者識別番号と関連付けたテーブルを記憶する記憶部をさらに有し、
前記通信部は、第３事業者のネットワークに配置されて第３事業者の携帯端末が在圏する交換局を示す第３交換局情報を携帯端末電話番号と関連付けて記憶する第３データベースとさらに通信し、
前記取得制御部は、前記要求受信部が前記特定の携帯端末電話番号及び前記取得要求を受信すると、前記交換局情報取得部が第１データベースから前記特定の携帯端末電話番号に関連付けられた前記第１交換局情報を取得するように制御し、前記交換局情報取得部が前記第１交換局情報の取得に失敗した場合、前記テーブルから、前記特定の携帯端末電話番号に関連付けられた加入者識別番号を特定し、前記特定した加入者識別番号から前記特定の携帯端末電話番号に係る事業者を特定し、前記交換局情報取得部が前記特定した事業者に対応する第２又は第３データベースから前記特定の携帯端末電話番号に関連付けられた前記第２又は第３交換局情報を取得するように制御する、請求項１に記載のサーバ装置。
【請求項５】
携帯端末電話番号を加入者識別番号と関連付けたテーブルを記憶する記憶部をさらに有し、
前記取得制御部は、前記テーブルから、前記特定の携帯端末電話番号に関連付けられた加入者識別番号を特定し、前記特定した加入者識別番号から前記特定の携帯端末電話番号に係る事業者を特定し、前記交換局情報取得部が前記特定した事業者に対応する第１又は第２データベースから前記特定の携帯端末電話番号に関連付けられた前記第１又は第２交換局情報を取得するように制御する、請求項１に記載のサーバ装置。
【請求項６】
複数の交換局、第１事業者のネットワークに配置されて第１事業者の携帯端末が在圏する交換局を示す第１交換局情報を携帯端末電話番号と関連付けて記憶する第１データベース、第１事業者と異なる第２事業者のネットワークに配置されて第２事業者の携帯端末が在圏する交換局を示す第２交換局情報を携帯端末電話番号と関連付けて記憶する第２データベース、並びに、特定の携帯端末電話番号及び前記特定の携帯端末電話番号に対応する携帯端末の位置情報の取得要求を送信する通信装置と通信する通信部と、制御部と、を備えるサーバ装置の制御方法であって、前記制御部が、
前記通信部を介して通信装置から前記特定の携帯端末電話番号及び前記取得要求を受信し、
前記特定の携帯端末電話番号及び前記取得要求を受信すると、前記通信部を介して第１又は第２データベースから前記特定の携帯端末電話番号に関連付けられた前記第１又は第２交換局情報を取得するように制御し、
前記通信部を介して、前記取得した前記第１又は第２交換局情報に示される交換局から、前記特定の携帯端末電話番号に対応する携帯端末の位置情報を取得し、
前記通信部を介して通信装置へ前記取得した前記位置情報を送信する、
ことを含むことを特徴とするサーバ装置の制御方法。
【請求項７】
複数の交換局、第１事業者のネットワークに配置されて第１事業者の携帯端末が在圏する交換局を示す第１交換局情報を携帯端末電話番号と関連付けて記憶する第１データベース、第１事業者と異なる第２事業者のネットワークに配置されて第２事業者の携帯端末が在圏する交換局を示す第２交換局情報を携帯端末電話番号と関連付けて記憶する第２データベース、並びに、特定の携帯端末電話番号及び前記特定の携帯端末電話番号に対応する携帯端末の位置情報の取得要求を送信する通信装置と通信する通信部と、制御部と、を備えるサーバ装置の制御プログラムであって、前記制御部に、
前記通信部を介して通信装置から前記特定の携帯端末電話番号及び前記取得要求を受信し、
前記特定の携帯端末電話番号及び前記取得要求を受信すると、前記通信部を介して第１又は第２データベースから前記特定の携帯端末電話番号に関連付けられた前記第１又は第２交換局情報を取得するように制御し、
前記通信部を介して、前記取得した前記第１又は第２交換局情報に示される交換局から、前記特定の携帯端末電話番号に対応する携帯端末の位置情報を取得し、
前記通信部を介して通信装置へ前記取得した前記位置情報を送信する、
ことを実行させることを特徴とするサーバ装置の制御プログラム。
【発明の詳細な説明】
【技術分野】
【０００１】
本発明は、ローミング機能を有する通信システムにおけるサーバ装置、その制御方法、及びその制御プログラムに関する。
【背景技術】
【０００２】
携帯電話は、警察、海上保安庁、消防等の緊急機関に緊急通報を行う場合、発呼時に、その携帯電話の位置情報を緊急機関に通知する。しかしながら、携帯電話を保持するユーザは通話をしながら移動する可能性があるため、携帯電話の通信事業者は、その緊急機関からの任意のタイミングにおける問い合わせに対して、携帯電話の位置情報を通知することが総務省により義務付けられている。
【０００３】
一方、近年、通信事業者により、契約していないユーザの携帯電話であっても、提携している事業者と契約しているユーザの携帯電話に対して、その提携している事業者と同様のサービスを提供するローミングが行われている。通信事業者は、提携している事業者と契約しているユーザの携帯電話に対してローミングサービスを提供する場合、緊急機関からの問い合わせに対して、その携帯電話の位置情報を通知する義務が発生する。
【０００４】
しかしながら、現在の位置情報サービスでは、各事業者が契約している利用者のユーザの携帯電話が在圏している移動交換局（ＭＳＣ：Mobile Switching Center）の情報は、その契約元の事業者が管理する加入者データベース（ＨＬＲ：Home Location Register）のみに記憶される。したがって、通信事業者は、ローミングサービスを利用している他の事業者のユーザの携帯電話について、自身が管理する加入者データベースから、その携帯電話が在圏している移動交換局の情報を取得することができず、結果として、その携帯電話の位置情報を取得できないという問題があった。
【０００５】
特許文献１には、ＨＬＲと、ＧＬＲ（Gateway Location Registers）と、ＧＭＬＣ（Gateway Mobile Location Center）と、ＭＳＣと、を含む移動通信サービス制御システムが開示されている。ＨＬＲは、ホーム網に登録されているユーザ（移動機）に関する位置情報を記憶している。ＧＬＲは、ユーザが契約しているネットワーク（ホーム網）と異なるネットワーク（ローミング網）を介して通信を行うときに当該ユーザの情報をＨＬＲから受け取り一時的に保持する。ＧＭＬＣは、位置情報提供機能を有し、ＭＳＣは、移動後のローミング網におけるユーザを管轄する交換局である。この移動通信サービス制御システムでは、ＧＭＬＣは、ＧＬＲからローミングユーザが在圏するＭＳＣの情報を取得し、対応するＭＳＣからローミングユーザの位置情報を取得する。
【先行技術文献】
【特許文献】
【０００６】
【特許文献１】特開２００３−６１１３２号公報
【発明の概要】
【発明が解決しようとする課題】
【０００７】
特許文献１に開示された移動通信サービス制御システムでは、ローミング網にあるＧＬＲが、ホーム網にあるＨＬＲから、ローミングユーザの情報を受け取り一時的に保持しておくことにより、ローミングユーザの位置情報を取得することができる。しかしながら、ＧＬＲは、他の事業者と契約している各ユーザの位置情報を保持できるように、多大な記憶領域を必要とする。また、移動通信サービス制御システムでは、ローミングが発生するたびに、そのユーザの位置情報がＨＬＲからＧＬＲに送信されるため、ＨＬＲとＧＬＲの間の通信量が増大し、ＨＬＲとＧＬＲにおいて処理負荷が増大する。
【０００８】
本発明は、このような従来の課題を解決すべくなされたものであり、低価格且つ低負荷に、ローミングサービスを利用している他の事業者のユーザの携帯端末の位置情報を取得することを可能とするサーバ装置、その制御方法、及びその制御プログラムを提供することを目的とする。
【課題を解決するための手段】
【０００９】
本発明に係るサーバ装置は、複数の交換局、第１事業者のネットワークに配置されて第１事業者の携帯端末が在圏する交換局を示す第１交換局情報を携帯端末電話番号と関連付けて記憶する第１データベース、第１事業者と異なる第２事業者のネットワークに配置されて第２事業者の携帯端末が在圏する交換局を示す第２交換局情報を携帯端末電話番号と関連付けて記憶する第２データベース、並びに、特定の携帯端末電話番号及び特定の携帯端末電話番号に対応する携帯端末の位置情報の取得要求を送信する通信装置と通信する通信部と、通信部を介して通信装置から特定の携帯端末電話番号及び取得要求を受信する要求受信部と、通信部を介して第１又は第２データベースから第１又は第２交換局情報を取得する交換局情報取得部と、要求受信部が特定の携帯端末電話番号及び取得要求を受信すると、交換局情報取得部が第１又は第２データベースから特定の携帯端末電話番号に関連付けられた第１又は第２交換局情報を取得するように制御する取得制御部と、通信部を介して、交換局情報取得部が取得した第１又は第２交換局情報に示される交換局から、特定の携帯端末電話番号に対応する携帯端末の位置情報を取得する位置情報取得部と、通信部を介して通信装置へ位置情報取得部が取得した位置情報を送信する位置情報送信部と、を備える。
【００１０】
また、本発明に係るサーバ装置において、サーバ装置は第１事業者により提供されており、取得制御部は、要求受信部が特定の携帯端末電話番号及び取得要求を受信すると、交換局情報取得部が第１データベースから特定の携帯端末電話番号に関連付けられた第１交換局情報を取得するように制御し、交換局情報取得部が第１交換局情報の取得に失敗した場合、交換局情報取得部が第２データベースから特定の携帯端末電話番号に関連付けられた第２交換局情報を取得するように制御することが好ましい。
【００１１】
または、本発明に係るサーバ装置において、サーバ装置は第１事業者により提供されており、通信部は、第１事業者及び第２事業者と異なる第３事業者のネットワークに配置されて第３事業者の携帯端末が在圏する交換局を示す第３交換局情報を携帯端末電話番号と関連付けて記憶する第３データベースとさらに通信し、取得制御部は、要求受信部が特定の携帯端末電話番号及び取得要求を受信すると、交換局情報取得部が第１データベースから特定の携帯端末電話番号に関連付けられた第１交換局情報を取得するように制御し、交換局情報取得部が第１交換局情報の取得に失敗した場合、交換局情報取得部が第２事業者及び第３事業者のうち加入者数が多い方の事業者に係る第２又は第３データベースから特定の携帯端末電話番号に関連付けられた第２又は第３交換局情報を取得するように制御し、さらに交換局情報取得部が第２又は第３交換局情報の取得に失敗した場合、交換局情報取得部が第２事業者及び第３事業者のうち加入者数が少ない方の事業者に係る第２又は第３データベースから特定の携帯端末電話番号に関連付けられた第２又は第３交換局情報を取得するように制御することが好ましい。
【００１２】
または、本発明に係るサーバ装置において、サーバ装置は第１事業者により提供されており、第２事業者の携帯端末と、第１事業者及び第２事業者と異なる第３事業者の携帯端末とについて、携帯端末電話番号を加入者識別番号と関連付けたテーブルを記憶する記憶部をさらに有し、通信部は、第３事業者のネットワークに配置されて第３事業者の携帯端末が在圏する交換局を示す第３交換局情報を携帯端末電話番号と関連付けて記憶する第３データベースとさらに通信し、取得制御部は、要求受信部が特定の携帯端末電話番号及び取得要求を受信すると、交換局情報取得部が第１データベースから特定の携帯端末電話番号に関連付けられた第１交換局情報を取得するように制御し、交換局情報取得部が第１交換局情報の取得に失敗した場合、テーブルから、特定の携帯端末電話番号に関連付けられた加入者識別番号を特定し、特定した加入者識別番号から特定の携帯端末電話番号に係る事業者を特定し、交換局情報取得部が特定した事業者に対応する第２又は第３データベースから特定の携帯端末電話番号に関連付けられた第２又は第３交換局情報を取得するように制御することが好ましい。
【００１３】
または、本発明に係るサーバ装置において、携帯端末電話番号を加入者識別番号と関連付けたテーブルを記憶する記憶部をさらに有し、取得制御部は、テーブルから、特定の携帯端末電話番号に関連付けられた加入者識別番号を特定し、特定した加入者識別番号から特定の携帯端末電話番号に係る事業者を特定し、交換局情報取得部が特定した事業者に対応する第１又は第２データベースから特定の携帯端末電話番号に関連付けられた第１又は第２交換局情報を取得するように制御することが好ましい。
【００１４】
本発明に係るサーバ装置の制御方法は、複数の交換局、第１事業者のネットワークに配置されて第１事業者の携帯端末が在圏する交換局を示す第１交換局情報を携帯端末電話番号と関連付けて記憶する第１データベース、第１事業者と異なる第２事業者のネットワークに配置されて第２事業者の携帯端末が在圏する交換局を示す第２交換局情報を携帯端末電話番号と関連付けて記憶する第２データベース、並びに、特定の携帯端末電話番号及び特定の携帯端末電話番号に対応する携帯端末の位置情報の取得要求を送信する通信装置と通信する通信部と、制御部と、を備えるサーバ装置の制御方法であって、制御部が、通信部を介して通信装置から特定の携帯端末電話番号及び取得要求を受信し、特定の携帯端末電話番号及び取得要求を受信すると、通信部を介して第１又は第２データベースから特定の携帯端末電話番号に関連付けられた第１又は第２交換局情報を取得するように制御し、通信部を介して、取得した第１又は第２交換局情報に示される交換局から、特定の携帯端末電話番号に対応する携帯端末の位置情報を取得し、通信部を介して通信装置へ取得した位置情報を送信することを含む。
【００１５】
本発明に係るサーバ装置の制御プログラムは、複数の交換局、第１事業者のネットワークに配置されて第１事業者の携帯端末が在圏する交換局を示す第１交換局情報を携帯端末電話番号と関連付けて記憶する第１データベース、第１事業者と異なる第２事業者のネットワークに配置されて第２事業者の携帯端末が在圏する交換局を示す第２交換局情報を携帯端末電話番号と関連付けて記憶する第２データベース、並びに、特定の携帯端末電話番号及び特定の携帯端末電話番号に対応する携帯端末の位置情報の取得要求を送信する通信装置と通信する通信部と、制御部と、を備えるサーバ装置の制御プログラムであって、制御部に、通信部を介して通信装置から特定の携帯端末電話番号及び取得要求を受信し、特定の携帯端末電話番号及び取得要求を受信すると、通信部を介して第１又は第２データベースから特定の携帯端末電話番号に関連付けられた第１又は第２交換局情報を取得するように制御し、通信部を介して、取得した第１又は第２交換局情報に示される交換局から、特定の携帯端末電話番号に対応する携帯端末の位置情報を取得し、通信部を介して通信装置へ取得した位置情報を送信することを実行させる。
【発明の効果】
【００１６】
本発明に係るサーバ装置、その制御方法、及びその制御プログラムは、各事業者のネットワークに配置された、各事業者の携帯端末が在圏する交換局の情報を記憶するデータベースから、位置情報を取得すべき携帯端末が在圏する交換局の情報を取得する。これにより、特定の装置において、ローミングサービスを利用している他の事業者のユーザの情報を事前に取得して保持しておく必要がなく、低価格且つ低負荷に、ローミングサービスを利用している他の事業者のユーザの携帯端末の位置情報を取得することを可能とする。
【図面の簡単な説明】
【００１７】
【図１】通信システム１の概略構成の一例を示す図である。
【図２】サーバ装置１０１の概略構成の一例を示す図である。
【図３】制御部１３の位置情報取得処理の動作フローの一例を示す図である。
【図４】通信システム１の位置情報取得の動作シーケンスの一例を示す図である。
【図５】制御部１３の位置情報取得処理の動作フローの一例を示す図である。
【発明を実施するための形態】
【００１８】
以下、図面を参照しつつ、本発明の様々な実施形態について説明する。ただし、本発明の技術的範囲はそれらの実施形態に限定されず、特許請求の範囲に記載された発明とその均等物に及ぶ点に留意されたい。
【００１９】
（第１の実施形態）
本実施形態では、サーバ装置は、緊急機関に配置された緊急機関装置から、緊急呼を発信した携帯端末の位置情報の取得要求を受信すると、まず、その携帯端末が在圏する移動交換局の情報を、そのサーバ装置を提供する事業者のデータベースに要求する。サーバ装置は、そのデータベースが携帯端末の電話番号に基づいて携帯端末が在圏する移動交換局を特定できず、その移動交換局の情報の取得に失敗した場合、携帯端末の事業者は他の事業者であると判定して、判定した事業者のネットワークに配置されたその事業者のデータベースから携帯端末が在圏する移動交換局の情報を取得する。そして、サーバ装置は、その携帯端末が在圏する移動交換局から携帯端末の位置情報を取得し、緊急機関装置に送信する。
【００２０】
図１は、第１の実施形態に従った通信システム１の概略構成の一例を示す図である。
【００２１】
通信システム１は、第１事業者が提供する第１通信システム１００と、第１事業者と異なる第２事業者が提供する第２通信システム２００と、緊急機関に配置された緊急機関システム３００と、を有する。この第１事業者と第２事業者は、ローミングサービスの提携をしている。
【００２２】
第１通信システム１００は、サーバ装置１０１と、第１ゲートウェイ１０２と、第１データベース１０３と、第１移動交換局１０４と、第１基地局１０５ａ〜１０５ｃと、第１携帯端末１０６ａ〜１０６ｂと、第２携帯端末２０６ｃとを有している。第１ゲートウェイ１０２と、第１データベース１０３と、第１移動交換局１０４は、第１コアネットワーク１１０を構成する。
【００２３】
サーバ装置１０１は、イーサネット（登録商標）等の有線ＬＡＮにより、インターネット５００に接続され、さらに第１ゲートウェイ１０２と接続される。第１ゲートウェイ１０２は、コアネットワークで用いられる通信プロトコルに従って、第１データベース１０３及び第１移動交換局１０４と接続され、さらに第２通信システム２００と接続される。第１データベース１０３は、第１移動交換局１０４と接続される。第１移動交換局１０４は、不図示の関門移動交換局を介して公衆交換電話網４００と接続され、さらに不図示の無線ネットワーク制御装置を介して第１基地局１０５ａ〜１０５ｃと接続される。複数の第１基地局１０５ａ〜１０５ｃは、第１事業者がサービスを提供する第１サービスエリア１２０をカバーするように配置され、それぞれの無線ゾーン内で各第１携帯端末１０６ａ〜１０６ｂ、及び第２携帯端末２０６ｃと無線通信を行うことができる。
【００２４】
第１ゲートウェイ１０２は、第１コアネットワーク１１０内の各装置と、第２コアネットワーク２１０とを接続するゲートウェイ装置である。第１ゲートウェイ１０２は、サーバ装置１０１からＴＣＰ／ＩＰ（Transmission Control Protocol / Internet Protocol）等のプロトコルに従って送信された各種データを、コアネットワークで用いられる通信プロトコルに従ったデータに変換して第１コアネットワーク１１０又は第２コアネットワーク２１０内の各装置へ転送する。また、第１ゲートウェイ１０２は、第１コアネットワーク１１０又は第２コアネットワーク２１０内の各装置から、コアネットワークで用いられる通信プロトコルに従って送信された各種データを、ＴＣＰ／ＩＰに従ったデータに変換してサーバ装置１０１へ転送する。
【００２５】
第１データベース１０３は、例えばホームロケーションレジスタ等の加入者データベースである。第１データベース１０３は、第１事業者と契約している全ての加入者に関する加入者情報、各加入者の携帯端末の位置を示す位置情報、各加入者の携帯端末が在圏する移動交換局、つまり各加入者の携帯端末が位置するエリアに対応する移動交換局を示す第１交換局情報等を加入者ごとに関連付けて記憶する。なお、加入者情報には、当該加入者が利用する携帯端末の電話番号、及び当該加入者を識別する加入者識別番号等が含まれる。
【００２６】
また、第１データベース１０３は、サーバ装置１０１から、特定の携帯端末の電話番号と、その電話番号に関連付けられた第１交換局情報の取得を要求する第１交換局情報取得要求とを受信し、第１交換局情報取得要求に対する応答である第１交換局情報応答をサーバ装置１０１に返信する。第１データベース１０３は、特定の携帯端末の電話番号及び第１交換局情報取得要求を受信すると、受信した特定の携帯端末の電話番号に基づいて、その電話番号に対応する加入者情報を特定し、その加入者情報に関連付けられた第１交換局情報を特定する。第１データベース１０３は、第１交換局情報の特定に成功した場合、特定した第１交換局情報を示す第１交換局情報応答をサーバ装置１０１へ送信する。一方、第１データベース１０３は、その電話番号に対応する加入者情報を記憶しておらず、加入者情報及び第１交換局情報の特定に失敗した場合、その携帯端末についての加入者情報を記憶していないことを示す第１交換局情報応答をサーバ装置１０１へ送信する。
【００２７】
第１移動交換局１０４は、第１携帯端末１０６ａ〜１０６ｂ及び第２携帯端末２０６ｃが在圏する交換局であり、各携帯端末の通話路、データ通信路の設定、解放、交換、移動管理等を行う。第１移動交換局１０４は、在圏する携帯端末の加入者に関する加入者情報、在圏する携帯端末の位置を示す位置情報等を記憶する。なお、説明を容易にするために、図１には第１移動交換局１０４を一つだけ示すが、第１コアネットワーク１１０には複数の第１移動交換局１０４が含まれる。
【００２８】
また、第１移動交換局１０４は、サーバ装置１０１から、特定の携帯端末の電話番号と、その電話番号に対応する携帯端末の位置情報を要求する測位要求とを受信する。第１移動交換局１０４は、特定の携帯端末の電話番号及び測位要求を受信すると、受信した特定の携帯端末の電話番号及び測位要求を配下にある全ての第１基地局１０５ａ〜１０５ｃに送信する。第１移動交換局１０４は、その携帯端末が無線エリア内に位置する第１基地局からその携帯端末の位置情報を示す測位応答を受信すると、受信した測位応答をサーバ装置１０１に送信する。
【００２９】
第１基地局１０５ａ〜１０５ｃは、無線エリア内に位置する各携帯端末との間で無線信号を送受信し、不図示の無線ネットワーク制御装置を介して、各携帯端末と第１移動交換局１０４との間の通信を中継する装置である。
【００３０】
また、第１基地局１０５ａ〜１０５ｃは、第１移動交換局１０４から、特定の携帯端末の電話番号及び測位要求を受信すると、無線信号により、全ての携帯端末が受信可能なチャネルでその特定の携帯端末の電話番号及び測位要求を送信する。第１基地局１０５ａ〜１０５ｃは、対応する携帯端末からその携帯端末の位置情報を示す測位応答を受信すると、受信した測位応答を第１移動交換局１０４に送信する。
【００３１】
第１携帯端末１０６ａ〜１０６ｂ及び第２携帯端末２０６ｃは、無線通信機能を有する装置であり、例えば携帯電話、携帯情報端末（Personal Digital Assistant, PDA）、携帯ゲーム機、携帯音楽プレーヤ、タブレットＰＣ等である。第１携帯端末１０６ａ〜１０６ｂは、第１事業者が契約しているユーザの携帯端末であり、第２携帯端末２０６ｃは、第２事業者が契約しているユーザの携帯端末である。すなわち、第２携帯端末２０６ｃは、ローミングサービスを利用して、第１事業者が提供する第１通信システムと接続している。
【００３２】
また、第１携帯端末１０６ａ〜１０６ｂ及び第２携帯端末２０６ｃは、第１基地局１０５ａ〜１０５ｃから、特定の携帯端末の電話番号及び測位要求を受信すると、その電話番号が自装置の電話番号と同一であるか否かを判定する。各携帯端末は、その電話番号が自装置の電話番号と同一である場合、ＧＰＳ（Global Positioning System）等の周知の技術を利用して自装置の位置を測定し、自装置の位置情報を示す測位応答を、測位要求を送信した第１基地局に返信する。なお、携帯端末は、三台以上の基地局からそれぞれ受信した無線信号の電波強度に基づいて自装置の位置を測定してもよい。
【００３３】
第２通信システム２００は、第２ゲートウェイ２０２と、第２データベース２０３と、第２移動交換局２０４と、第２基地局２０５ａ〜２０５ｂと、第２携帯端末２０６ａ〜２０６ｂとを有している。第２ゲートウェイ２０２と、第２データベース２０３と、第２移動交換局２０４は、第２コアネットワーク２１０を構成する。
【００３４】
第２ゲートウェイ２０２は、第２データベース２０３及び第２移動交換局２０４と接続され、さらに第１通信システム１００の第１ゲートウェイ１０２と接続される。第２データベース２０３は、第２移動交換局２０４と接続される。第２移動交換局２０４は、不図示の関門移動交換局を介して公衆交換電話網４００と接続され、さらに不図示の無線ネットワーク制御装置を介して第２基地局２０５ａ〜２０５ｂと接続される。複数の第２基地局２０５ａ〜２０５ｂは、第２事業者がサービスを提供する第２サービスエリア２２０をカバーするように配置され、それぞれの無線ゾーン内で各第２携帯端末２０６ａ〜２０６ｂと無線通信を行うことができる。
【００３５】
第２ゲートウェイ２０２は、第１ゲートウェイ１０２と同様のゲートウェイ装置であり、第２コアネットワーク２１０内の各装置と、第１コアネットワーク１１０とを接続する。
【００３６】
第２データベース２０３は、第１データベース１０３と同様の機能を有する加入者データベースであり、第２事業者と契約している全ての加入者に関する加入者情報、各加入者の携帯端末の位置を示す位置情報、各加入者の携帯端末が在圏する移動交換局を示す第２交換局情報等を加入者ごとに関連付けて記憶する。
【００３７】
また、第２データベース２０３は、サーバ装置１０１から、特定の携帯端末の電話番号と、その電話番号に関連付けられた第２交換局情報の取得を要求する第２交換局情報取得要求とを受信し、第２交換局情報取得要求に対する応答である第２交換局情報応答をサーバ装置１０１に返信する。第２データベース２０３は、特定の携帯端末の電話番号及び第２交換局情報取得要求を受信すると、受信した特定の携帯端末の電話番号に基づいて、その電話番号に対応する加入者情報を特定し、その加入者情報に関連付けられた第２交換局情報を特定する。第２データベース２０３は、第２交換局情報の特定に成功した場合、特定した第２交換局情報を示す第２交換局情報応答をサーバ装置１０１へ送信する。一方、第１データベース１０３は、その電話番号に対応する加入者情報を記憶しておらず、加入者情報及び第２交換局情報の特定に失敗した場合、その携帯端末についての加入者情報を記憶していないことを示す第２交換局情報応答をサーバ装置１０１へ送信する。
【００３８】
第２移動交換局２０４は、第２携帯端末２０６ａ〜２０６ｂが在圏する交換局である。第２移動交換局２０４は、第１移動交換局１０４と同様の機能を有し、携帯端末の通話路、データ通信路の設定、解放、交換、移動管理等を行うとともに、在圏する携帯端末の加入者に関する加入者情報、在圏する携帯端末の位置を示す位置情報等を記憶する。なお、説明を容易にするために、図１には第２移動交換局２０４を一つだけ示すが、第２コアネットワーク２１０には複数の第２移動交換局２０４が含まれる。
【００３９】
第２基地局２０５ａ〜２０５ｂは、第１基地局１０５ａ〜１０５ｃと同様の機能を有する装置であり、無線ゾーン内に位置する各携帯端末との間で無線信号を送受信し、不図示の無線ネットワーク制御装置を介して、各携帯端末と第２移動交換局２０４との間の通信を中継する。
【００４０】
第２携帯端末２０６ａ〜２０６ｂは、第２携帯端末２０６ｃと同様の機能を有する装置であり、第２事業者が契約しているユーザの携帯端末である。
【００４１】
緊急機関システム３００は、緊急機関に配置される電話端末３０１及び緊急機関装置３０２を有する。電話端末３０１は、公衆交換電話網４００を介して第１移動交換局１０４及び第２移動交換局２０４と接続される。緊急機関装置３０２は、インターネット５００を介してサーバ装置１０１と接続される。
【００４２】
電話端末３０１は、各携帯端末からの緊急呼を着信する電話端末である。
【００４３】
緊急機関装置３０２は、電話端末３０１を用いて特定の携帯端末からの緊急呼を受け付けた管理者によって操作される通信装置である。緊急機関装置３０２は、管理者による操作に従って、緊急呼を発信した特定の携帯端末の電話番号、及びその電話番号に対応する携帯端末の位置情報の取得を要求する位置情報取得要求をサーバ装置１０１に送信する。
【００４４】
以下、第１サービスエリア１２０内に位置する第１携帯端末１０６ａ及び第２携帯端末２０６ａによる位置登録の処理の例について説明する。
【００４５】
第１基地局１０５ａ〜１０５ｃは、全ての携帯端末が受信可能なチャネルで、その無線エリアを識別するエリア識別番号を定期的に送信する。第１携帯端末１０６ａ及び第２携帯端末２０６ｃは、エリア識別番号を受信すると、受信したエリア識別番号を記憶しておく。第１携帯端末１０６ａ及び第２携帯端末２０６ａは、利用者の移動等により、受信したエリア識別番号が記憶しておいた識別番号から変化した場合、それぞれ第１基地局１０５ａ及び１０５ｃを介して第１移動交換局１０４に認証を要求する。
【００４６】
第１移動交換局１０４は、第１データベース１０３から第１携帯端末１０６ａの加入者情報を取得して一時的に記憶し、第１携帯端末１０６ａの認証処理を実行する。また、第１移動交換局１０４は、第２データベース２０３から第２携帯端末２０６ａの加入者情報を取得して一時的に記憶し、第１携帯端末１０６ａ及び第２携帯端末２０６ａの認証処理を実行する。第１携帯端末１０６ａ及び第２携帯端末２０６ｃは、第１移動交換局１０４による認証が成功すると、当該携帯端末のユーザの加入者識別番号及び位置情報を含む位置登録要求をそれぞれ第１基地局１０５ａ及び１０５ｃを介して第１移動交換局１０４に送信する。
【００４７】
第１移動交換局１０４は、第１携帯端末１０６ａ及び第２携帯端末２０６ｃから受信した位置登録要求に含まれる加入者識別番号からその加入者が契約している事業者を特定する。なお、加入者識別番号の特定の位置のビットは、契約している事業者を示しており、第１移動交換局１０４は、そのビットから事業者を特定することができる。第１移動交換局１０４は、特定した事業者が第１事業者である場合、受信した位置登録要求を第１データベース１０３に転送する。一方、第１移動交換局１０４は、特定した事業者が第２事業者である場合、受信した位置登録要求を第１ゲートウェイ１０２及び第２ゲートウェイ２０２を介して第２データベース２０３に転送する。第１データベース１０３及び第２データベース２０３は、受信した位置登録要求に含まれる位置情報を、受信した位置登録要求に含まれる加入者識別番号に係る加入者情報と関連付けて記憶する。
【００４８】
このように、契約している事業者のサービスエリア内に位置する第１携帯端末１０６ａの位置情報も、ローミングサービスを利用して、契約している事業者以外の事業者のサービスエリア内に位置する第２携帯端末２０６ｃの位置情報も、それぞれ契約している事業者のデータベースに登録される。
【００４９】
図２は、第１の実施形態に従ったサーバ装置１０１の概略構成の一例を示す図である。
【００５０】
サーバ装置１０１は、緊急機関装置３０２から特定の携帯端末の電話番号及び位置情報取得要求を受信し、受信した電話番号に関連付けられた第１交換局情報又は第２交換局情報を第１データベース１０３又は第２データベース２０３から取得する。そして、サーバ装置１０１は、取得した第１交換局情報又は第２交換局情報に示される移動交換局から携帯端末の位置情報を取得し、緊急機関装置３０２へ送信する。サーバ装置１０１は、通信部１１と、記憶部１２と、制御部１３とを備える。
【００５１】
通信部１１は、イーサネット（登録商標）などの有線の通信インターフェース回路を有する。通信部１１は、インターネット５００を介して緊急機関装置３０２等と通信し、第１ゲートウェイ１０２を介して第１データベース１０３、第１移動交換局１０４、第２データベース２０３及び第２移動交換局２０４等と通信する。そして、通信部１１は、緊急機関装置３０２、第１データベース１０３、第１移動交換局１０４、第２データベース２０３及び第２移動交換局２０４等から受信したデータを、制御部１３に与える。また、通信部１１は、制御部１３から与えられたデータを、第１データベース１０３、第１移動交換局１０４、第２データベース２０３及び第２移動交換局２０４等に送信する。
【００５２】
記憶部１２は、例えば、半導体メモリ、磁気ディスク装置、及び光ディスク装置のうちの少なくともいずれか一つを有する。記憶部１２は、制御部１３による処理に用いられるドライバプログラム、オペレーティングシステムプログラム、アプリケーションプログラム、データ等を記憶する。例えば、記憶部１２は、ドライバプログラムとして、通信部１１を制御する通信デバイスドライバプログラム等を記憶する。また、記憶部１２は、オペレーティングシステムプログラムとして、ＴＣＰ／ＩＰ等の通信方式による接続制御プログラム等を記憶する。また、記憶部１２は、アプリケーションプログラムとして、各種データの送受信を行うととともに、携帯端末の事業者を判定するデータ処理プログラム等を記憶する。また、記憶部１２は、所定の処理に係る一時的なデータを一時的に記憶する。
【００５３】
制御部１３は、一又は複数個のプロセッサ及びその周辺回路を有する。制御部１３は、アクセスポイント１ａの全体的な動作を統括的に制御するものであり、例えば、ＣＰＵ（Central Processing Unit）である。即ち、制御部１３は、サーバ装置１０１の各種の処理が記憶部１２に記憶されているプログラム等に応じて適切な手順で実行されるように、通信部１１等の動作を制御する。制御部１３は、記憶部１２に記憶されているプログラム（ドライバプログラム、オペレーティングシステムプログラム、アプリケーションプログラム等）に基づいて処理を実行する。また、制御部１３は、複数のプログラム（アプリケーションプログラム等）を並列に実行することができる。
【００５４】
制御部１３は、要求受信部１３１と、交換局情報取得部１３２と、取得制御部１３３と、位置情報取得部１３４と、位置情報送信部１３５とを有する。制御部１３が有するこれらの各部は、制御部１３が有するプロセッサ上で実行されるプログラムによって実装される機能モジュールである。あるいは、制御部１３が有するこれらの各部は、独立した集積回路、マイクロプロセッサ、又はファームウェアとしてサーバ装置１０１に実装されてもよい。
【００５５】
図３は、制御部１３の位置情報取得処理の動作フローの一例を示す図である。なお、以下に説明する動作フローは、予め記憶部１２に記憶されているプログラムに基づいて、主に制御部１３により、サーバ装置１０１の各要素と協働して実行される。
【００５６】
最初に、要求受信部１３１は、通信部１１を介して緊急機関装置３０２から、特定の携帯端末の電話番号及び位置情報取得要求を受信しているか否かを判定し（ステップＳ１０１）、特定の携帯端末の電話番号及び位置情報取得要求を受信するまで待機する。
【００５７】
要求受信部１３１が、緊急機関装置３０２から特定の携帯端末の電話番号及び位置情報取得要求を受信すると（ステップＳ１０１−Ｙｅｓ）、取得制御部１３３は、交換局情報取得部１３２が第１データベース１０３又は第２データベース２０３から特定の携帯端末の電話番号に関連付けられた第１交換局情報又は第２交換局情報を取得するように制御する。なお、交換局情報取得部１３２は、取得制御部１３３の制御に従って、通信部１１を介して第１データベース１０３又は第２データベース２０３から第１交換局情報又は第２交換局情報を取得する。
【００５８】
取得制御部１３３は、まず、交換局情報取得部１３２が第１データベース１０３から特定の携帯端末の電話番号に関連付けられた第１交換局情報を取得するように制御する。交換局情報取得部１３２は、取得制御部１３３の制御に従って、特定の携帯端末の電話番号と、その電話番号に関連付けられた第１交換局情報についての第１交換局情報取得要求とを通信部１１を介して第１データベース１０３に送信する（ステップＳ１０２）。なお、サーバ装置１０１が送信した第１交換局情報取得要求は、第１ゲートウェイ１０２により中継され、第１データベース１０３に送信される。
【００５９】
次に、取得制御部１３３は、通信部１１を介して第１データベース１０３から第１交換局情報応答を受信したか否かを判定し（ステップＳ１０３）、第１交換局情報応答を受信するまで待機する（ステップＳ１０３−Ｎｏ）。
【００６０】
次に、取得制御部１３３は、第１データベース１０３から第１交換局情報応答を受信すると（ステップＳ１０３−Ｙｅｓ）、受信した第１交換局情報応答が第１交換局情報を示すか否かを判定する（ステップＳ１０４）。
【００６１】
第１交換局情報応答が第１交換局情報を示す場合、つまり、交換局情報取得部１３２が第１交換局情報の取得に成功した場合（ステップＳ１０４−Ｙｅｓ）、取得制御部１３３は、特定の携帯端末の電話番号に係る事業者は第１事業者であると判定する（ステップＳ１０５）。
【００６２】
一方、第１交換局情報応答が第１交換局情報を示さない場合、つまり、第１データベース１０３がその携帯端末についての加入者情報を記憶しておらず、交換局情報取得部１３２が第１交換局情報の取得に失敗した場合（ステップＳ１０４−Ｎｏ）、取得制御部１３３は、特定の携帯端末の電話番号に係る事業者は第２事業者であると判定する（ステップＳ１０６）。その場合、取得制御部１３３は、交換局情報取得部１３２が第２データベース２０３から特定の携帯端末の電話番号に関連付けられた第２交換局情報を取得するように制御する。交換局情報取得部１３２は、取得制御部１３３の制御に従って、特定の携帯端末の電話番号と、その電話番号に関連付けられた第２交換局情報についての交換局情報取得要求とを通信部１１を介して第２データベース２０３に送信する（ステップＳ１０７）。なお、サーバ装置１０１が送信した第２交換局情報取得要求は、第１ゲートウェイ１０２及び第２ゲートウェイ２０２により中継され、第２データベース２０３に送信される。
【００６３】
次に、交換局情報取得部１３２は、第２交換局情報応答を通信部１１を介して第２データベース２０３から受信したか否かを判定し（ステップＳ１０８）、第２交換局情報応答を受信するまで待機する（ステップＳ１０８−Ｎｏ）。交換局情報取得部１３２は、第２交換局情報応答を受信すると（ステップＳ１０８−Ｙｅｓ）、受信した第２交換局情報応答に示される第２交換局情報を取得する（ステップＳ１０９）。
【００６４】
なお、本実施形態では、ローミングサービスの提供について提携している事業者が第１事業者と第２事業者のみである場合について説明している。しかしながら、三つ以上の事業者が提携している場合、すなわちサーバ装置１０１を提供する第１事業者以外の他の事業者が複数存在する場合、ステップＳ１０８において受信した第２交換局情報応答も、第２データベース２０３がその携帯端末についての加入者情報を記憶していないことを示している可能性がある。その場合、取得制御部１３３は、交換局情報取得部１３２がさらに他の事業者のデータベース（不図示）から特定の携帯端末の電話番号に関連付けられた交換局情報を取得するように制御する。
【００６５】
また、第１事業者以外の他の事業者が複数存在する場合、第１事業者以外の事業者について、加入者数の多い順番を記憶部１２に記憶しておいてもよい。取得制御部１３３は、ステップＳ１０４において交換局情報取得部１３２が第１交換局情報の取得に失敗した場合、交換局情報取得部１３２が、交換局情報取得要求を通信部１１を介して、加入者数の多い他の事業者の順に、他の事業者のデータベースに送信するように制御する。そして、取得制御部１３３は、交換局情報取得部１３２が交換局情報の取得に成功した場合、その携帯端末の事業者はその交換局情報の取得に成功したデータベースを提供する事業者であると判定する。
【００６６】
以下、例えば、第１事業者が、第１事業者及び第２事業者と異なる第３事業者とも提携している場合について説明する。通信部１１は、第３事業者の加入者データベースである不図示の第３データベースと通信する。第３データベースは、第３事業者のコアネットワークに配置され、第１データベース１０３と同様の機能を有し、第３事業者と契約している全ての加入者に関する加入者情報、各加入者の携帯端末の位置を示す位置情報、各加入者の携帯端末が在圏する移動交換局を示す第３交換局情報等を加入者ごとに関連付けて記憶する。
【００６７】
取得制御部１３３は、ステップＳ１０４において交換局情報取得部１３２が第１交換局情報の取得に失敗した場合、交換局情報取得部１３２が第２事業者及び第３事業者のうち加入者数が多い方の事業者に対応する第２データベース２０３又は第３データベースから特定の携帯端末の電話番号に関連付けられた第２交換局情報又は第３交換局情報を取得するように制御する。交換局情報取得部１３２は、取得制御部１３３の制御に従って、特定の携帯端末の電話番号と、その電話番号に関連付けられた第２交換局情報又は第３交換局情報についての第２交換局情報取得要求又は第３交換局情報取得要求とを通信部１１を介して、加入者数が多い方の事業者に対応するデータベースに送信する。取得制御部１３３は、交換局情報取得部１３２が第２交換局情報又は第３交換局情報の取得に成功した場合、特定の携帯端末の電話番号に係る事業者は加入者数が多い方の事業者であると判定する。
【００６８】
一方、取得制御部１３３は、交換局情報取得部１３２が第２交換局情報又は第３交換局情報の取得にさらに失敗した場合、特定の携帯端末の電話番号に係る事業者は加入者数が少ない方の事業者であると判定する。その場合、取得制御部１３３は、交換局情報取得部１３２が加入者数が少ない方の事業者に対応する第２データベース２０３又は第３データベースから特定の携帯端末の電話番号に関連付けられた第２交換局情報又は第３交換局情報を取得するように制御する。交換局情報取得部１３２は、取得制御部１３３の制御に従って、特定の携帯端末の電話番号と、その電話番号に関連付けられた第２交換局情報又は第３交換局情報についての第２交換局情報取得要求又は第３交換局情報取得要求とを通信部１１を介して、加入者数が少ない方の事業者に対応するデータベースに送信する。
【００６９】
このように、サーバ装置１０１は、最初に、緊急機関装置３０２から問い合わせを受けた事業者、つまり携帯端末の発呼時に通信サービスを提供した事業者のデータベースに問い合わせを行い、続いて、加入者数が多い事業者の順に各データベースに問い合わせを行っていく。これにより、その携帯端末の事業者である可能性の高い事業者の順に各データベースへの問い合わせを行うことができ、効率良く交換局情報を取得することができる。
【００７０】
次に、ステップＳ１０５又はＳ１０９の処理を終えると、位置情報取得部１３４は、通信部１１を介して、交換局情報取得部１３２が取得した交換局情報に示される移動交換局に、特定の携帯端末の電話番号と、その電話番号に対応する携帯端末の位置情報を取得するための測位要求を送信する（ステップＳ１１０）。
【００７１】
次に、位置情報取得部１３４は、通信部１１を介して移動交換局から測位応答を受信したか否かを判定し（ステップＳ１１１）、測位応答を受信するまで待機する（ステップＳ１１１−Ｎｏ）。位置情報取得部１３４は、測位応答を受信すると（ステップＳ１１１−Ｙｅｓ）、受信した測位応答に示される位置情報を取得する。
【００７２】
次に、位置情報送信部１３５は、位置情報取得部１３４が取得した位置情報を通信部１１を介して緊急機関装置３０２へ送信し（ステップＳ１１２）、一連のステップを終了する。
【００７３】
図４は、通信システム１による位置情報取得の動作シーケンスの一例を示す。
【００７４】
以下に説明する動作シーケンスは、各装置において予め各装置の記憶部に記憶されているプログラムに基づき主に各装置の制御部により各装置の各要素と協働して実行される。なお、この動作シーケンスは、第２携帯端末２０６ｃが、第１事業者が提供する第１サービスエリア１２０に位置し、ローミングサービスを利用して第１基地局１０５ｃを介して緊急機関に緊急通報をした場合について説明するものである。
【００７５】
最初に、緊急機関装置３０２は、電話端末３０１を用いて第２携帯端末２０６ｃからの緊急呼を受け付けた管理者による操作に従って、緊急呼を発信した第２携帯端末２０６ｃの電話番号及び位置情報取得要求をサーバ装置１０１に送信する（ステップＳ２０１）。
【００７６】
次に、サーバ装置１０１は、緊急機関装置３０２から第２携帯端末２０６ｃの電話番号及び位置情報取得要求を受信すると、第２携帯端末２０６ｃの電話番号及び第１交換局情報取得要求を第１ゲートウェイ１０２を介して第１データベース１０３に送信する（ステップＳ２０２、Ｓ２０３）。次に、第１データベース１０３は、サーバ装置１０１から第２携帯端末２０６ｃの電話番号及び第１交換局情報取得要求を受信すると、受信した第２携帯端末２０６ｃの電話番号に基づいて対応する第１交換局情報を特定する。しかし、第１データベース１０３には、第２携帯端末２０６ｃの電話番号に対応する加入者情報が記憶されていない。したがって、第１データベース１０３は、第２携帯端末２０６ｃについての加入者情報を記憶していないことを示す第１交換局情報応答を第１ゲートウェイ１０２を介してサーバ装置１０１へ送信する（ステップＳ２０４、Ｓ２０５）。
【００７７】
次に、サーバ装置１０１は、第１データベース１０３から第２携帯端末２０６ｃについての加入者情報を記憶していないことを示す第１交換局情報応答を受信すると、第２携帯端末２０６ｃの電話番号及び第２交換局情報取得要求を第１ゲートウェイ１０２及び第２ゲートウェイ２０２を介して第２データベース２０３に送信する（ステップＳ２０６〜Ｓ２０８）。次に、第２データベース２０３は、サーバ装置１０１から第２携帯端末２０６ｃの電話番号及び第２交換局情報取得要求を受信すると、受信した第２携帯端末２０６ｃの電話番号に基づいて対応する第２交換局情報を特定する。第２データベース２０３には、第２携帯端末２０６ｃの電話番号に対応する加入者情報及び第２携帯端末２０６ｃが在圏する第１移動交換局１０４についての第２交換局情報が関連付けて記憶されている。したがって、第２データベース２０３は、その第２交換局情報を示す第２交換局情報応答を第２ゲートウェイ２０２及び第１ゲートウェイ１０２を介してサーバ装置１０１へ送信する（ステップＳ２０９〜Ｓ２１１）。
【００７８】
次に、サーバ装置１０１は、第２データベース２０３から第２交換局情報応答を受信すると、受信した第２交換局情報応答に示される第２交換局情報に示される第１移動交換局１０４に、第１ゲートウェイ１０２を介して第２携帯端末２０６ｃの電話番号及び測位要求を送信する（ステップＳ２１２、Ｓ２１３）。第１移動交換局１０４は、第２携帯端末２０６ｃの電話番号及び測位要求を受信すると、配下にある第１基地局１０５ａ〜１０５ｃから第２携帯端末２０６ｃの位置情報を取得し、取得した位置情報を示す測位応答を第１ゲートウェイ１０２を介してサーバ装置１０１に送信する（ステップＳ２１４、Ｓ２１５）。
【００７９】
次に、サーバ装置１０１は、第１移動交換局１０４から測位応答を受信すると、受信した測位応答に示される位置情報を緊急機関装置３０２に送信し（ステップＳ２１６）、一連のステップを終了する。
【００８０】
以上説明してきたように、サーバ装置１０１は、緊急機関装置から、緊急呼を発信した携帯端末についての位置情報取得要求を受信すると、まずサーバ装置１０１を提供する第１事業者の第１データベース１０３にその携帯端末についての第１交換局情報を要求する。サーバ装置１０１は、第１データベース１０３からの第１交換局情報の取得に失敗した場合、第２事業者の第２データベース２０３からその携帯端末についての第２交換局情報を取得する。そして、サーバ装置１０１は、第１交換局情報又は第２交換局情報に示される移動交換局から携帯端末の位置情報を取得し、緊急機関装置に送信する。これにより、特定の装置において、他の事業者のユーザの情報を事前に取得して保持しておく必要がなくなり、低価格且つ低負荷に、ローミングサービスを利用している他の事業者のユーザの携帯端末の位置情報を取得することが可能となる。
【００８１】
特に、サーバ装置１０１を提供する事業者の加入者数が他の事業者の加入者数より極度に多い場合、非常に高い確率で、サーバ装置１０１を提供する事業者の第１データベース１０３から第１交換局情報を取得できる。したがって、交換局情報の取得に係る処理負荷を増大させることなく携帯端末の位置情報を取得できる。
【００８２】
（第２の実施形態）
本実施形態では、サーバ装置１０１は、携帯端末の電話番号を加入者識別番号と関連付けたテーブルを予め記憶しておく。そして、サーバ装置１０１は、そのテーブルから、位置情報取得要求とともに受信した特定の携帯端末の電話番号に関連付けられた加入者識別番号を特定し、特定した加入者識別番号から事業者を特定し、特定した事業者に対応するデータベースから交換局情報を取得する。
【００８３】
第２の実施形態に従った通信システム１の構成及びサーバ装置１０１の構成は、第１の実施形態に従った通信システム１の構成及びサーバ装置１０１の構成と同様であるので、説明を省略する。
【００８４】
ただし、記憶部１２は、データとして、携帯端末ごとに携帯端末の電話番号及び加入者識別番号を関連付けたテーブルを記憶する。
【００８５】
図５は、第２の実施形態による、制御部１３の位置情報取得処理の動作フローの一例を示す図である。
【００８６】
なお、以下に説明する動作フローは、予め記憶部１２に記憶されているプログラムに基づいて、主に制御部１３により、サーバ装置１０１の各要素と協働して実行される。図５に示すステップＳ３０１、Ｓ３０７〜Ｓ３０９の処理は、図３に示すステップＳ１０１、Ｓ１１２〜Ｓ１１４の処理と同じであるため、説明を省略し、ステップＳ３０２〜Ｓ３０６の処理についてのみ説明する。
【００８７】
ステップＳ３０１において、要求受信部１３１が、緊急機関装置３０２から特定の携帯電話の電話番号及び位置情報取得要求を受信すると、取得制御部１３３は、受信した特定の携帯電話の電話番号に関連付けられた加入者識別番号を、記憶部１２に記憶されたテーブルから特定する（ステップＳ３０２）。次に、取得制御部１３３は、特定した加入者識別番号から特定の携帯端末の電話番号に係る事業者が第１事業者であるか第２事業者であるかを特定する（ステップＳ３０３）。なお、前述したように、加入者識別番号の特定の位置のビットは、契約している事業者を示しており、取得制御部１３３は、そのビットから事業者を特定することができる。
【００８８】
次に、取得制御部１３３は、交換局情報取得部１３２が、特定した事業者に対応する第１データベース１０３又は第２データベース２０３から特定の携帯電話の電話番号に関連付けられた第１交換局情報又は第２交換局情報を取得するように制御する。交換局情報取得部１３２は、取得制御部１３３の制御に従って、特定の携帯端末の電話番号と、その電話番号に関連付けられた第１交換局情報又は第２交換局情報についての第１交換局情報取得要求又は第２交換局情報取得要求とを通信部１１を介して、特定した事業者に対応する第１データベース１０３又は第２データベース２０３に送信する（ステップＳ３０４）。交換局情報取得部１３２は、第１データベース１０３又は第２データベース２０３から通信部１１を介して第１交換局情報応答又は第２交換局情報応答を受信したか否かを判定し（ステップＳ３０５）、第１交換局情報応答又は第２交換局情報応答を受信まで待機する（ステップＳ３０５−Ｎｏ）。交換局情報取得部１３２は、第１交換局情報応答又は第２交換局情報応答を受信すると（ステップＳ３０５−Ｙｅｓ）、受信した第１交換局情報応答又は第２交換局情報応答に示される第１交換局情報又は第２交換局情報を取得する（ステップＳ３０６）。
【００８９】
以上説明してきたように、サーバ装置１０１は、携帯端末の電話番号を加入者識別番号と関連付けたテーブルを記憶する。そして、サーバ装置１０１は、そのテーブルから、位置情報取得要求とともに受信した特定の携帯端末の電話番号に関連付けられた加入者識別番号を特定し、特定した加入者識別番号から事業者を特定し、特定した事業者に対応するデータベースから交換局情報を取得する。この場合も、他の事業者のユーザの情報を事前に取得して保持しておく必要がなく、低価格且つ低負荷に、ローミングサービスを利用している他の事業者のユーザの携帯端末の位置情報を取得することが可能となる。
【００９０】
また、第２の実施形態では、サーバ装置１０１は、特定の携帯端末についての交換局情報を、その携帯端末の事業者以外の事業者のデータベースへ要求しない。したがって、特にサーバ装置１０１を提供する事業者の加入者数と、他の事業者の加入者数とが同程度である場合のように、サーバ装置１０１を提供する事業者の第１データベース１０３にほとんどの携帯端末についての交換局情報が記憶されていない場合でも、交換局情報の取得に係る処理負荷を増大させることなく携帯端末の位置情報を取得できる。
【００９１】
なお、本実施形態では、サーバ装置１０１が、携帯端末ごとに電話番号及び加入者識別番号を対応付けたテーブルを記憶する例を説明したが、本発明はこれに限定されない。携帯端末ごとに電話番号及び加入者識別番号を対応付けたテーブルは、サーバ装置１０１以外の通信装置が記憶し、サーバ装置１０１は、その通信装置に、位置情報取得要求に含まれる電話番号に対応付けられた加入者識別番号を問い合わせてもよい。
【００９２】
また、第１事業者以外の他の事業者が複数存在する場合、第１の実施形態に従って、まず第１事業者に対応する第１データベース１０３から第１交換局情報を取得し、取得に失敗した場合に限り、第２の実施形態で示した判定方法に従って、第２交換局情報又は第３交換局情報を取得してもよい。
【００９３】
例えば、第１事業者が、前述した第３事業者とも提携している場合について説明する。記憶部１２には、第２事業者の携帯端末及び第３事業者の携帯端末について、携帯端末ごとに携帯端末の電話番号及び加入者識別番号を対応付けたテーブルを記憶しておく。通信部１１は、第３事業者の加入者データベースである前述した第３データベースと通信する。取得制御部１３３は、図３のステップＳ１０４において第１交換局情報の取得に失敗した場合、記憶部１２に記憶したテーブルから、位置情報取得要求とともに受信した特定の携帯端末の電話番号に関連付けられた加入者識別番号を特定する。そして、取得制御部１３３は、特定した加入者識別番号から、特定の携帯端末の電話番号に係る事業者が第２事業者であるか第３事業者であるかを特定する。次に、取得制御部１３３は、交換局情報取得部１３２が、特定した事業者に対応する第２データベース２０３又は第３データベースから特定の携帯電話の電話番号に関連付けられた第２交換局情報又は第３交換局情報を取得するように制御する。
【００９４】
このように、最初に、サーバ装置１０１を提供する事業者、つまり携帯端末の発呼時に通信サービスを提供した事業者のデータベースに問い合わせを行うことにより、高い確率で、サーバ装置１０１自体が検索処理を行うことなく交換局情報を取得することができる。一方、サーバ装置１０１を提供する事業者のデータベースからの交換局情報の取得に失敗したときに、その後の交換局情報の取得の失敗を防ぐことができ、交換局情報の取得に係る処理負荷を低減することができる。
【００９５】
また、第１の実施形態及び第２の実施形態において、サーバ装置は、緊急機関に配置された緊急機関装置からの要求に従って携帯端末の位置情報を取得するものとしたが、携帯端末に特定のサービスを提供するＩＳＰ（Internet Service Provider）における通信装置等からの要求に従って携帯端末の位置情報を取得してもよい。
【００９６】
また、制御部１３が備える各機能をコンピュータに実現させるためのコンピュータプログラムは、磁気記録媒体、光記録媒体等のコンピュータにより読み取り可能な記録媒体に記録された形で提供されてもよい。
【００９７】
当業者は、本発明の精神及び範囲から外れることなく、様々な変更、置換及び修正をこれに加えることが可能であることを理解されたい。
【符号の説明】
【００９８】
１００    第１通信システム
１０１    サーバ装置
１０３    第１データベース
１０４    第１移動交換局
１０６ａ〜１０６ｂ    第１携帯端末
２００    第２通信システム
２０３    第２データベース
２０４    第２移動交換局
２０６ａ〜２０６ｃ    第２携帯端末
３０２    緊急機関装置
１１    通信部
１２    記憶部
１３    制御部
１３１    要求受信部
１３２    交換局情報取得部
１３３    取得制御部
１３４    位置情報取得部
１３５    位置情報送信部
【図１】
2015012329.tif 000003
【図２】
2015012329.tif 000004
【図３】
2015012329.tif 000005
【図４】
2015012329.tif 000006
【図５】
2015012329.tif 000007